(57)【要約】【課題】電磁誘導式のクレードルスピーカー装置で、携帯端末の再生音の高品質な増幅出力を高い安定性で実現することができる。【解決手段】外周に送信コイル２０７が巻回されたジャック２０３が内蔵され、再生される音響信号が入力可能に送信コイル２０７が設けられるタッチパネル操作式の携帯端末２００が載置される載置部１０６と、載置部１０６にタッチパネル２０２を外向きにして携帯端末２００が載置された状態で、携帯端末２００のジャック２０３と近接する位置に設けられる受信コイル１０８と、送信コイル２０７による電磁誘導で受信コイル１０８に入力される音響信号を増幅するオーディオアンプ１１７と、オーディオアンプ１１７で増幅された音響信号を出力するスピーカー１１０を備えるクレードルスピーカー装置１００。【選択図】図７
2015035721.tif 000002
【特許請求の範囲】
【請求項１】
外周に送信コイルが巻回されたジャックが内蔵され、再生される音響信号が入力可能に前記送信コイルが設けられるタッチパネル操作式の携帯端末が載置される載置部と、
前記載置部にタッチパネルを外向きにして前記携帯端末が載置された状態で、前記携帯端末の前記ジャックと近接する位置に設けられる受信コイルと、
前記送信コイルによる電磁誘導で前記受信コイルに入力される音響信号を増幅するオーディオアンプと、
前記オーディオアンプで増幅された音響信号を出力するスピーカーと、
を備えることを特徴とするクレードルスピーカー装置。
【請求項２】
筐体の下部に両側面が前方に向かって漸次拡がる放音ダクトが設けられ、
前記放音ダクトに向かって下向きに前記スピーカーが設けられることを特徴とする請求項１記載のクレードルスピーカー装置。
【請求項３】
前記載置部が、前記タッチパネルが前斜め上を向くように前記携帯端末が載置されるものであることを特徴とする請求項１又は２記載のクレードルスピーカー装置。
【請求項４】
前記携帯端末の充電可能なコネクタに電気的に接続可能な給電コネクタが設けられることを特徴とする請求項１〜３の何れかに記載のクレードルスピーカー装置。
【請求項５】
外周に送信コイルが巻回されたジャックが内蔵され、
再生される音響信号が入力可能で且つ近接配置される電磁誘導式のクレードルスピーカー装置の受信コイルに電磁誘導を発生させることが可能に前記送信コイルが設けられる
ことを特徴とする携帯端末。
【請求項６】
タッチパネル操作式の携帯端末が載置される載置部と、前記載置部にタッチパネルを外向きにして前記携帯端末が載置された状態で、前記携帯端末のジャックと近接する位置に設けられる受信コイルと、電磁誘導で前記受信コイルに入力される音響信号を増幅するオーディオアンプと、前記オーディオアンプで増幅された音響信号を出力するスピーカーを備えるクレードルスピーカー装置に対して、
前記載置部に載置可能なタッチパネル操作式の携帯端末であることを特徴とする請求項５記載の携帯端末。
【請求項７】
前記携帯端末のボイスコイルへ再生される音響信号が出力される状態と前記送信コイルへ再生される音響信号が出力される状態とが切替可能であることを特徴とする請求項５又は６記載の携帯端末。
【請求項８】
前記携帯端末の充電可能なコネクタへの給電コネクタの電気的な接続を検知する検知手段と、
前記検知手段の前記コネクタへの前記給電コネクタの電気的な接続の検知に応じて、前記ボイスコイルへ再生される音響信号が出力される状態から前記送信コイルへ再生される音響信号が出力される状態に切り替える切替部と、
を備えることを特徴とする請求項５〜７の何れかに記載の携帯端末。
【請求項９】
前記ジャックの本体の前端近傍の外周に凹溝が設けられ、
前記凹溝に送信コイルが巻回されていることを特徴とする請求項５〜８の何れかに記載の携帯端末。
【請求項１０】
携帯端末に内蔵され、
外周に送信コイルが巻回され、
再生される音響信号が入力可能で且つ近接配置される電磁誘導式のクレードルスピーカー装置の受信コイルに電磁誘導を発生させることが可能に前記送信コイルが設けられる
ことを特徴とするジャック。
【請求項１１】
本体の前端近傍の外周に凹溝が設けられ、
前記凹溝に送信コイルが巻回されていることを特徴とする請求項１０記載のジャック。
【発明の詳細な説明】
【技術分野】
【０００１】
本発明は、携帯端末の再生音を携帯端末の外部で出力するクレードルスピーカー装置、クレードルスピーカー装置と対応する携帯端末、及びこの携帯端末に設けられるジャックに関する。
【背景技術】
【０００２】
従来、携帯端末の再生音を携帯端末の外部で出力するクレードルスピーカー装置が知られている。このようなクレードルスピーカー装置としては、例えば携帯端末が載置され、携帯端末の充電端子、音響信号出力端子とクレードルスピーカー装置の給電端子、音響信号入力端子がそれぞれ電気的に接続された状態において、携帯端末への充電を行うと共に、音響信号出力端子と音響信号入力端子の接続によって入力される携帯端末の音響信号をクレードルスピーカー装置のスピーカーから出力するものがある（特許文献１、２参照）。
【０００３】
また、最近では、携帯端末に内蔵されているボイスコイルが音源再生時に発生する磁界によって、クレードルスピーカー装置に内蔵されている受信コイルに電磁誘導を生じさせ、この受信コイルの誘導電流による振動を増幅して出力することにより、携帯端末の再生音を増幅出力するクレードルスピーカー装置も提案されている。このクレードルスピーカー装置は、携帯端末の音響信号出力端子とクレードルスピーカー装置の音響信号入力端子を電気的に接続することが不要であり、クレードルスピーカー装置の所要位置に携帯端末を載置して再生することにより、携帯端末の再生音の増幅出力が可能になっている。
【先行技術文献】
【特許文献】
【０００４】
【特許文献１】特開２００８−２５２２７７号公報
【特許文献２】特開２００８−８５８３３号公報
【発明の概要】
【発明が解決しようとする課題】
【０００５】
ところで、上記電磁誘導式のクレードルスピーカー装置は携帯端末の載置で再生音を出力できるため、便宜性に非常に優れるものの、電磁誘導式のクレードルスピーカー装置で携帯端末の再生音を良好に出力するには、クレードルスピーカー装置に内蔵されている受信コイルに電磁誘導を生じさせるために、携帯端末内蔵のボイスコイルとクレードルスピーカー装置内蔵の受信コイルを近接して配置することが必要になる。
【０００６】
しかしながら、携帯端末内蔵の機種毎に異なるボイスコイルの位置は外部から視認不能なため、クレードルスピーカー装置が再生音を良好に出力する適切な位置に携帯端末を利用者が載置することができない場合が生じ、携帯端末を載置する位置によっては、クレードルスピーカー装置から再生音が出力されないか、或いは再生音の音量が小さいなど低品質の出力になってしまう。そのため、電磁誘導式のクレードルスピーカー装置で、携帯端末の再生音の高品質な増幅出力を高い安定性で実現することができる技術が求められている。
【０００７】
本発明は上記課題に鑑み提案するものであり、電磁誘導式のクレードルスピーカー装置で、携帯端末の再生音の高品質な増幅出力を高い安定性で実現することができるクレードルスピーカー装置、携帯端末及びこの携帯端末に設けられるジャックを提供することを目的とする。
【課題を解決するための手段】
【０００８】
本発明のクレードルスピーカー装置は、外周に送信コイルが巻回されたジャックが内蔵され、再生される音響信号が入力可能に前記送信コイルが設けられるタッチパネル操作式の携帯端末が載置される載置部と、前記載置部にタッチパネルを外向きにして前記携帯端末が載置された状態で、前記携帯端末の前記ジャックと近接する位置に設けられる受信コイルと、前記送信コイルによる電磁誘導で前記受信コイルに入力される音響信号を増幅するオーディオアンプと、前記オーディオアンプで増幅された音響信号を出力するスピーカーを備えることを特徴とする。
この構成によれば、タッチパネルを外向きにして載置部に携帯端末を載置すると、携帯端末の送信コイルに近接する位置に受信コイルが位置することになるから、電磁誘導式のクレードルスピーカー装置で、携帯端末の再生音の高品質な増幅出力を高い安定性で実現することができる。また、利用者が明確に認識できるジャックの位置に送信コイル、クレードルスピーカー装置のジャックに対応する位置に受信コイルがあり、もしクレードルスピーカー装置の出力状態に不十分な点が生じた場合にも利用者が容易に調整することが可能であり、かかる点からも電磁誘導式のクレードルスピーカー装置で、携帯端末の再生音の高品質な増幅出力を一層高い安定性で実現することができる。また、送信コイルと受信コイルが近接配置された状態で携帯端末のタッチパネルが外向きになるので、クレードルスピーカー装置に携帯端末を載置した状態において、利用者のタッチパネルの操作性を確保することができる。
【０００９】
本発明のクレードルスピーカー装置は、筐体の下部に両側面が前方に向かって漸次拡がる放音ダクトが設けられ、前記放音ダクトに向かって下向きに前記スピーカーが設けられることを特徴とする。
この構成によれば、放音ダクトによって増幅された再生音を前方に指向性を持たせて拡げて出力し、クレードルスピーカー装置の前方にいる利用者に高品質な再生音を提供することができる。また、放音ダクトに向かって下向きにスピーカーを設けることにより、省スペースで大きなサイズのスピーカーを設け、再生音のより高品質な増幅出力を得ることができる。
【００１０】
本発明のクレードルスピーカー装置は、前記載置部が、前記タッチパネルが前斜め上を向くように前記携帯端末が載置されるものであることを特徴とする。
この構成によれば、クレードルスピーカー装置に携帯端末を載置した状態において、利用者のタッチパネルの操作性を一層向上することができる。また、動画の再生音を増幅出力する場合にも、利用者が良好に動画と音声を視聴することができる。また、携帯端末を高い安定性で載置することが可能となる。
【００１１】
本発明のクレードルスピーカー装置は、前記携帯端末の充電可能なコネクタに電気的に接続可能な給電コネクタが設けられることを特徴とする。
この構成によれば、クレードルスピーカー装置から再生音を増幅出力した状態において、携帯端末の充電を行うことができる。
【００１２】
本発明の携帯端末は、外周に送信コイルが巻回されたジャックが内蔵され、再生される音響信号が入力可能で且つ近接配置される電磁誘導式のクレードルスピーカー装置の受信コイルに電磁誘導を発生させることが可能に前記送信コイルが設けられることを特徴とする。
この構成によれば、利用者が明確に認識できるジャックの位置に送信コイルがあることから、クレードルスピーカー装置の受信コイルに送信コイルが近接するように携帯端末を配置することを利用者が容易に行うことができ、電磁誘導式のクレードルスピーカー装置で、携帯端末の再生音の高品質な増幅出力を高い安定性で実現することができる。
【００１３】
本発明の携帯端末は、タッチパネル操作式の携帯端末が載置される載置部と、前記載置部にタッチパネルを外向きにして前記携帯端末が載置された状態で、前記携帯端末のジャックと近接する位置に設けられる受信コイルと、電磁誘導で前記受信コイルに入力される音響信号を増幅するオーディオアンプと、前記オーディオアンプで増幅された音響信号を出力するスピーカーを備えるクレードルスピーカー装置に対して、前記載置部に載置可能なタッチパネル操作式の携帯端末であることを特徴とする。
この構成によれば、タッチパネルを外向きにして載置部に携帯端末を載置すると、携帯端末の送信コイルに近接する位置に受信コイルが位置することになるから、電磁誘導式のクレードルスピーカー装置で、携帯端末の再生音の高品質な増幅出力を一層高い安定性で実現することができる。また、送信コイルと受信コイルが近接配置された状態で携帯端末のタッチパネルが外向きになるので、クレードルスピーカー装置に携帯端末を載置した状態において、利用者のタッチパネルの操作性を確保することができる。
【００１４】
本発明の携帯端末は、前記携帯端末のボイスコイルへ再生される音響信号が出力される状態と前記送信コイルへ再生される音響信号が出力される状態とが切替可能であることを特徴とする。
この構成によれば、クレードルスピーカー装置から再生音を出力する際に、携帯端末のスピーカーからの再生音の出力を無くし、携帯端末の充電された電気が浪費することを防止することができる。
【００１５】
本発明の携帯端末は、前記携帯端末の充電可能なコネクタへの給電コネクタの電気的な接続を検知する検知手段と、前記検知手段の前記コネクタへの前記給電コネクタの電気的な接続の検知に応じて、前記ボイスコイルへ再生される音響信号が出力される状態から前記送信コイルへ再生される音響信号が出力される状態に切り替える切替部とを備えることを特徴とする。
この構成によれば、携帯端末の充電に応じて、携帯端末を電磁誘導式のクレードルスピーカー装置から音響出力するモードに自動的に切り替えることができ、クレードルスピーカー装置の音響出力の利用者の便宜性に資する。
【００１６】
本発明の携帯端末は、前記ジャックの本体の前端近傍の外周に凹溝が設けられ、前記凹溝に送信コイルが巻回されていることを特徴とする。
この構成によれば、ジャックの前端近傍の位置に送信コイルが設けられることから、送信コイルと受信コイルをより近接配置することが可能となり、電磁誘導式のクレードルスピーカー装置で、携帯端末の再生音の高品質な増幅出力をより一層高い安定性で実現することができる。
【００１７】
本発明のジャックは、携帯端末に内蔵され、外周に送信コイルが巻回され、再生される音響信号が入力可能で且つ近接配置される電磁誘導式のクレードルスピーカー装置の受信コイルに電磁誘導を発生させることが可能に前記送信コイルが設けられることを特徴とする。
この構成によれば、利用者が明確に認識できるジャックの位置に送信コイルがあることから、クレードルスピーカー装置の受信コイルに送信コイルが近接するように携帯端末を配置することを利用者が容易に行うことができ、電磁誘導式のクレードルスピーカー装置で、携帯端末の再生音の高品質な増幅出力を高い安定性で実現することができる。
【００１８】
本発明のジャックは、本体の前端近傍の外周に凹溝が設けられ、前記凹溝に送信コイルが巻回されていることを特徴とする。
この構成によれば、ジャックの前端近傍の位置に送信コイルが設けられることから、送信コイルと受信コイルをより近接配置することが可能となり、電磁誘導式のクレードルスピーカー装置で、携帯端末の再生音の高品質な増幅出力をより一層高い安定性で実現することができる。
【発明の効果】
【００１９】
本発明によれば、電磁誘導式のクレードルスピーカー装置で、携帯端末の再生音の高品質な増幅出力を高い安定性で実現することができる。
【図面の簡単な説明】
【００２０】
【図１】実施形態の携帯端末が載置されたクレードルスピーカー装置を示す正面図。
【図２】図１のＡ−Ａ線断面説明図。
【図３】図１のＢ−Ｂ線断面説明図。
【図４】（ａ）は実施形態のクレードルスピーカー装置の正面説明図、（ｂ）はその側面説明図。
【図５】（ａ）は実施形態の携帯端末の正面説明図、（ｂ）はその側面説明図。
【図６】（ａ）は実施形態の携帯端末におけるジャックの正面説明図、（ｂ）は実施形態のクレードルスピーカー装置における受信コイルの正面説明図。
【図７】実施形態における携帯端末が載置された状態のクレードルスピーカー装置と携帯端末のブロック図。
【発明を実施するための形態】
【００２１】
〔実施形態のクレードルスピーカー装置及び携帯端末〕
本実施形態のクレードルスピーカー装置１００は、電磁誘導式のクレードルスピーカー装置１００であり、図１〜図４に示すように、筐体１０１を有し、筐体１０１の下部１０２は高さの低い略直方体形状に形成され、上部１０３は正面視略矩形で側面視略台形に形成され、上部１０３は下部１０２の前寄りに設けられている。下部１０２の底面にはクレードルスピーカー装置１００の横滑りを防止しつつクレードルスピーカー装置１００を支持するゴム脚１０４が所定箇所に設けられ、その側面には商用電源をＡＣ／ＤＣアダプタでＡＣ／ＤＣ変換した直流電力が入力されるＤＣジャック１０５が設けられている。
【００２２】
筐体１０１の上部１０３の正面側には、上面から略矩形凹状にへこんで形成された正面側開放の載置部１０６が設けられ、載置部１０６は上から下に向かって前方に傾斜するように形成されており、その載置部１０６の底部前縁に沿って突条１０７が形成されている。載置部１０６には、後述するスマートフォン等のタッチパネル操作式の携帯端末２００が載置され、携帯端末２００の突条１０７への移動時等の当接により、携帯端末２００が載置部１０６で安定して定置され、載置部１０６からズレ落ちることが防止されるようになっている。
【００２３】
尚、本例の載置部１０６は、携帯端末２００のタッチパネルが前斜め上を向くように載置される好適な構成であるが、携帯端末が載置可能な適宜の載置部１０６とすることが可能であり、例えばタッチパネル操作式の携帯端末２００の場合には、例えば携帯端末２００が携帯端末２００のタッチパネルが前方を向くように載置される上面から略矩形凹状にへこんで形成された正面側開放の載置部若しくは上面から略矩形凹状にへこんで形成された凹状穴の載置部や、或いは携帯端末２００のタッチパネルが上方を向くように載置される上面開放の凹部である載置部など、タッチパネル２０２が外向きになるように載置可能な適宜形状の載置部とすることが可能である。
【００２４】
載置部１０６の一方の側方の筐体１０１内には、コイルボビン１０９に巻回された受信コイル１０８が設けられており（図６（ｂ）参照）、受信コイル１０８は、載置部１０６にタッチパネル２０２を外向きにして携帯端末２００が載置された状態で、後述する携帯端末２００のジャック２０３と近接する位置となるように設けられる。
【００２５】
筐体１０１内の上部１０３の底部には、後述するオーディオアンプ１１７で増幅された音響信号がボイスコイルを介して入力されて音響出力するスピーカー１１０が下向きに設けられており、スピーカー１１０を支持する仕切板１１１、仕切板１１１と対向して間隔を開けて配置される筐体１０１の底板１１２、仕切板１１１と底板１１２との間で立設し且つスピーカー１１０の両側に配置されるように設けられるダクト側板１１３・１１３とで形成される放音ダクト１１４内に向けてスピーカー１１０が設置されている。
【００２６】
筐体１０１の下部１０２に設けられる放音ダクト１１４では、両側面のダクト側板１１３・１１３が前方に向かって漸次拡がるように形成され、上面の仕切板１１１と底面の着脱可能な底板１１２が略水平に設けられ、背面が仕切板１１５で閉塞され、前面が開口している。スピーカー１１０からの出力音は放音ダクト１１４に向かって下向きに出力され、放音ダクト１１４の開口から前方に放音されると共に、前方に向かって漸次拡がるダクト側板１１３・１１３によって拡がるように放音される。
【００２７】
筐体１０１の下部１０２には、放音ダクト１１４の後方にクレードルスピーカー装置１００が動作するための電源を供給する電池１１６が設けられている。また、筐体１０１には、電磁誘導で受信コイル１０８に入力される音響信号を増幅し、増幅した音響信号をスピーカー１１０に入力するオーディオアンプ１１７、ＤＣジャック１０５から供給される直流電力を蓄電する蓄電池１１８、蓄電池１１８の直流電力を外部に給電可能で、携帯端末２００の充電可能なコネクタ２３１に電気的に接続可能な給電コネクタ１１９が設けられる（図７参照、図１〜図４で図示省略）。
【００２８】
本実施形態の携帯端末２００は、載置部１０６に載置可能なタッチパネル操作式の携帯端末２００であり、図１、図３、図５に示すように、薄型の略直方体状の筐体２０１の正面に表示パネルと操作パネルを兼ねるタッチパネル２０２が設けられている。携帯端末２００の一つの側面にはジャック２０３の本体２０４に形成されている挿入孔２０５が開口して設けられており、ジャック２０３は筐体２０１の当該側面の内側に内蔵されている。
【００２９】
ジャック２０３には、図６に示すように、本体２０４の前端近傍の外周に凹溝２０６が形成されており、凹溝２０６に送信コイル２０７が巻回されている。この送信コイル２０７は、近接配置される受信コイル１０８に電磁誘導を発生させることが可能になっている。また、ジャック２０３には、本体２０４の側方から複数の接続端子２０８が突出するようにして設けられる（図７参照、図６では図示省略）。
【００３０】
また、携帯端末２００は、図７に示すように、携帯端末の各部を制御する制御部２１０と制御プログラムや音響、画像等の各種データ等を記憶する記憶部２２０を有し、制御部２１０は制御プログラムに従って動作するＣＰＵ等で構成され、記憶部２２０はフラッシュメモリ等で構成される。制御部２１０は、制御手段２１１、ジャック検知手段２１２、充電検知手段２１３、通信制御手段２１４を備え、制御手段２１１は各部や各手段の入力や検知に応じて所定部の制御を行うようになっている。
【００３１】
ジャック検知手段２１２は、ジャック２０３におけるヘッドホンやイヤホンなど音響出力機器の電気的な接続や取り外しを検知し、又、充電検知手段２１３は、筐体２０１の所定の側面に露出して設けられるコネクタ２３１への給電コネクタ１１９の電気的な接続や取り外しを検知する（図７の二点鎖線参照）。通信制御手段２１４は、アンテナ２３２を介する発信や受信などの各種通信制御を行うようになっている。
【００３２】
タッチパネル２０２は、制御手段２１１の表示制御によって表示される画面を表示する表示部２３３として機能すると共に、タッチパネル２０２に触れて行われる操作入力を検知する操作入力検知部２３４として機能し、操作入力検知部２３４の検知した操作入力は制御手段２１１によって認識される。
【００３３】
また、携帯端末２００には、ボリューム調整部２４１、プリアンプ２４２、音響出力先切替部２４３、コイル切替部２４４、パワーアンプ２４５、ボイスコイル２４６、スピーカー２４７を有する。ボリューム調整部２４１及びプリアンプ２４２は、操作入力検知部２３４で検知されたボリューム調整入力に応じた制御手段２１１の制御により、音響の音量を調整する。
【００３４】
音響出力先切替部２４３は、ジャック検知手段２１２がジャック２０３に音響出力機器が電気的に接続されたことを検知した際に、制御手段２１１の制御によって音響信号の出力先をジャック２０３のラインに切り替え、ジャック検知手段２１２がジャック２０３から音響出力機器が取り外されたことを検知した際に、制御手段２１１の制御によって音響信号の出力先を携帯端末２００のスピーカー２４７のラインに切り替える。
【００３５】
コイル切替部２４４は、充電検知手段２１３がコネクタ２３１への給電コネクタ１１９の電気的な接続を検知した際に、制御手段２１１の制御によって音響信号の出力先を送信コイル２０７に切り替えて、ボイスコイル２０６へ再生される音響信号が出力される状態から送信コイル２０７へ再生される音響信号が出力される状態に切り替え、充電検知手段２１３がコネクタ２３１からの給電コネクタ１１９の取り外しを検知した際に、制御手段２１１の制御によって音響信号の出力先をスピーカー２４６のラインに切り替えて、送信コイル２０７へ再生される音響信号が出力される状態からボイスコイル２０６へ再生される音響信号が出力される状態に切り替える。即ち、ジャック２０３に巻回されている送信コイル２０７は、再生される音響信号が入力可能に設けられている。
【００３６】
スピーカー２４７のラインで伝送される音響信号はパワーアンプ２４５で増幅され、ボイスコイル２４６への出力を介して、スピーカー２４７から出力される。尚、携帯端末２００の制御部２１０、記憶部２２０、タッチパネル２０２等の各部は、コネクタ２３１を介して充電される内蔵バッテリー２５１の電力で動作する。
【００３７】
本実施形態のクレードルスピーカー装置１００から携帯端末２００の再生音を出力する際には、図１に示すように、タッチパネル操作式の携帯端末２００のタッチパネル２０２が前斜め上を向くようにして載置部１０６に載置する。この載置した状態では、携帯端末２００のジャック２０３の外周に巻回されている送信コイル２０７が、クレードルスピーカー装置１００の受信コイル１０８に近接した状態で配置される。
【００３８】
そして、携帯端末２００のコネクタ２３１に、クレードルスピーカー装置１００に付設されている給電コネクタ１１９を電気的に接続すると、携帯端末２００の充電検知手段２１３がコネクタ２３１への給電コネクタ１１９の電気的な接続を検知し、コイル切替部２４４が音響信号の出力先を送信コイル２０７に切り替えて送信コイル２０７へ再生される音響信号が出力される状態にする。
【００３９】
この状態において、操作入力検知部２３４の検知した操作入力、制御手段２１１の制御により、記憶部２２０に記憶されている音楽等の適宜の音響データが携帯端末２００で再生されると、その音響信号は送信コイル２０７に入力される。また、給電コネクタ１１９のコネクタ２３１の電気的な接続前から、音響データが携帯端末２００で再生されていた場合には、ボイスコイル２４６、スピーカー２４７に入力されていた音響信号は、給電コネクタ１１９のコネクタ２３１への電気的な接続に応じた切り替えにより、送信コイル２０７に入力される。
【００４０】
携帯端末２００の送信コイル２０７は音響信号の入力により、近接するクレードルスピーカー装置１００の受信コイル１０８と磁気結合して電磁誘導を発生させ（図７の太線参照）、受信コイル１０８に音響信号が入力される。受信コイル１０８に入力された音響信号は、オーディオアンプ１１７で増幅され、クレードルスピーカー装置１００のスピーカー１１０から増幅して出力される。
【００４１】
本実施形態によれば、タッチパネル２０２を前斜め上向きにして載置部１０６に携帯端末２００を載置すると、携帯端末２００のジャック２０３の送信コイル２０７とクレードルスピーカー装置１００の受信コイル１０８が近接して容易に配置されることになるから、電磁誘導式のクレードルスピーカー装置１００で、携帯端末２００の再生音の高品質な増幅出力を高い安定性で実現することができる。また、利用者が明確に認識できるジャック２０３の位置に送信コイル２０７、クレードルスピーカー装置１００のジャック２０３に対応する位置に受信コイル１０８があり、もしクレードルスピーカー装置１００の出力状態に不十分な点が生じた場合にも利用者が容易に調整することが可能であり、かかる点からも電磁誘導式のクレードルスピーカー装置１００で、携帯端末２００の再生音の高品質な増幅出力を一層高い安定性で実現することができる。
【００４２】
また、タッチパネル２０２が前斜め上を向くように携帯端末２００が載置されることにより、クレードルスピーカー装置１００に携帯端末２００を載置した状態において、利用者のタッチパネル２０２の操作性を確保することができると共に、動画の再生音を増幅出力する場合にも、利用者が良好に動画と音声を視聴することができる。更に、携帯端末２００を高い安定性で載置することが可能となる。
【００４３】
また、放音ダクト１１４によって増幅された再生音を前方に指向性を持たせて拡げて出力し、クレードルスピーカー装置１００の前方にいる利用者に高品質な再生音を提供することができる。また、放音ダクト１１４に向かって下向きにスピーカー１１０を設けることにより、省スペースで大きなサイズのスピーカー１１０を設け、再生音のより高品質な増幅出力を得ることができる。また、クレードルスピーカー装置１００に携帯端末２００のコネクタ２３１に電気的に接続可能な給電コネクタ１１９を設けることにより、クレードルスピーカー装置１００から再生音を増幅出力した状態において、携帯端末２００の充電を行うことができる。
【００４４】
また、携帯端末２００のボイスコイル２４６へ再生される音響信号が出力される状態と送信コイル２０７へ再生される音響信号が出力される状態とが切り替えることにより、クレードルスピーカー装置１００から再生音を出力する際に、携帯端末２００のスピーカー２４７からの再生音の出力を無くし、携帯端末２００の充電された電気が浪費することを防止することができる。更に、携帯端末２００の充電状態の検知に応じた切り替えにより、携帯端末２００の充電に応じて、携帯端末２００を電磁誘導式のクレードルスピーカー装置１００から音響出力するモードに自動的に切り替えることができ、クレードルスピーカー装置１００の音響出力の利用者の便宜性に資する。
【００４５】
また、ジャック２０３の前端近傍の位置に送信コイル２０７が設けられることから、送信コイル２０７と受信コイル１０８をより近接配置することが可能となり、電磁誘導式のクレードルスピーカー装置１００で、携帯端末２００の再生音の高品質な増幅出力をより一層高い安定性で実現することができる。
【００４６】
〔実施形態の変形例等〕
本明細書開示の発明には、各発明や実施形態の構成の他に、適用可能な範囲で、これらの部分的な構成を本明細書開示の他の構成に変更して特定したもの、或いはこれらの構成に本明細書開示の他の構成を付加して特定したもの、或いはこれらの部分的な構成を部分的な作用効果が得られる限度で削除して特定した上位概念化したものも含まれ、下記変形例も包含する。
【００４７】
例えば上記実施形態の携帯端末２００では、給電コネクタ１１９のコネクタ２３１への電気的な接続の検知により充電状態を検知して、音響信号の出力先をボイスコイル２４６、スピーカー２４７から送信コイル２０７に切り替える構成としたが、送信コイル２０７への音響信号の入力は適宜の構成で行うことが可能であり、例えばタッチパネル２０２による操作入力に応じて、制御部２１０が音響信号の出力先をボイスコイル２４６、スピーカー２４７から送信コイル２０７に切り替える構成、或いは、タッチパネル２０２による操作入力に応じて、制御部２１０が音響信号の出力先をボイスコイル２４６、スピーカー２４７に加えて送信コイル２０７にも出力する構成等とすることが可能である。
【００４８】
また、上記実施形態では、クレードルスピーカー装置１００を充電装置を備えるものとしたが、本発明では給電コネクタ１１９等の充電装置を有しないクレードルスピーカー装置とすることも可能である。充電装置を有しないクレードルスピーカー装置の場合、携帯端末２００における送信コイル２０７への音響信号の入力は、別途の給電コネクタのコネクタ２３１への電気的な接続に応じて行うか、又は、上述のように、タッチパネル２０２の操作入力に応じて制御部２１０が音響信号の出力先を送信コイル２０７に切り替える、或いはタッチパネル２０２の操作入力に応じて制御部２１０が音響信号を送信コイル２０７に出力する構成等とすることが可能である。
【００４９】
また、本発明の携帯端末において、制御部２１０の制御によって送信コイル２０７に出力される音響信号は、記憶部２２０に記憶されている音楽、或いは動画の音声等に限定されず、アンテナ２３２でリアルタイムで受信している音楽、音声或いは動画像の音声等の音響データとすることも可能である。
【００５０】
また、本発明のクレードルスピーカー装置において、放音ダクト１１４の形状やスピーカー１１０の向きや構成も適宜変更可能であり、例えば放音ダクトを有し或いは有さずに、前方に向けてスピーカーを設ける構成とすることも可能である。また、本発明の携帯端末には、内蔵されているジャックの送信コイルに音響信号を入力可能な適宜の携帯端末が含まれるが、タッチパネル操作式の携帯端末とすると好ましい。また、本発明の携帯端末、ジャックは本発明のクレードルスピーカー装置以外の電磁誘導式のクレードルスピーカー装置に適用可能である。
【００５１】
また、本発明のクレードルスピーカー装置で受信コイルを配置する位置は、載置部に携帯端末を載置した際に、携帯端末のジャックの送信コイルと近接する適宜の位置とすることが可能であり、載置部の態様とこれに載置した携帯端末の態様に応じて、適宜の位置に受信コイルを設けることが可能である。
【産業上の利用可能性】
【００５２】
本発明は、携帯端末の再生音を携帯端末の外部で増幅して出力する際に利用することができる。
【符号の説明】
【００５３】
１００…クレードルスピーカー装置  １０１…筐体  １０２…下部  １０３…上部  １０４…ゴム脚  １０５…ＤＣジャック  １０６…載置部  １０７…突条  １０８…受信コイル  １０９…コイルボビン  １１０…スピーカー  １１１…仕切板  １１２…底板  １１３…ダクト側板  １１４…放音ダクト  １１５…仕切板  １１６…電池  １１７…オーディオアンプ  １１８…蓄電池  １１９…給電コネクタ  ２００…携帯端末  ２０１…筐体  ２０２…タッチパネル  ２０３…ジャック  ２０４…本体  ２０５…挿入孔  ２０６…凹溝  ２０７…送信コイル  ２０８…接続端子  ２１０…制御部  ２１１…制御手段  ２１２…ジャック検知手段  ２１３…充電検知手段  ２１４…通信制御手段  ２２０…記憶部  ２３１…コネクタ  ２３２…アンテナ  ２３３…表示部  ２３４…操作入力検知部  ２４１…ボリューム調整部  ２４２…プリアンプ  ２４３…音響出力先切替部  ２４４…コイル切替部  ２４５…パワーアンプ  ２４６…ボイスコイル  ２４７…スピーカー  ２５１…内蔵バッテリー
【図１】
2015035721.tif 000003
【図２】
2015035721.tif 000004
【図３】
2015035721.tif 000005
【図４】
2015035721.tif 000006
【図５】
2015035721.tif 000007
【図６】
2015035721.tif 000008
【図７】
2015035721.tif 000009